(57)【要約】【課題】  光干渉と超音波のコンボ機であっても、検者が容易に超音波測定を行う。【解決手段】  光干渉計により被検眼の眼軸長を得るための測定部と、測定部と被検眼との相対位置を調整するための駆動機構と、手動操作にて駆動機構又は測定部を駆動させるために検者によって操作される操作部と、測定部を制御して眼軸長を測定すると共に操作部から出力される操作信号に基づいて前記駆動機構の駆動を制御する制御手段と、を備える眼軸長測定装置であって、眼軸長測定装置は、被検眼の軸方向における長さ情報を得るための超音波プローブが予め搭載されている又は装着可能であって、制御手段は、超音波プローブを用いて眼を測定する場合において、前記操作部から出力される操作信号に基づいて，前記超音波プローブを用いて眼を測定する際の設定を変更する。【選択図】      図３
2013002332.tif 000002
【特許請求の範囲】
【請求項１】
眼軸長測定装置は、
光干渉計を有し被検眼の眼軸長を非接触にて光学的に測定するための測定光学系と、前眼部観察像を撮像する撮像光学系とを内蔵する測定ユニットと、
前記測定ユニットと被検眼との相対位置を調整するための駆動機構と、
前記駆動機構又は測定ユニットを駆動させるために検者によって操作される操作部と、
前眼部観察像を表示可能なモニタと、
前記測定ユニットを制御すると共に、前記操作部から出力される操作信号に基づいて前記駆動機構の駆動を制御する制御器と、備え、
前記制御器は、被検眼の軸方向における長さ情報を得るための超音波プローブが予め搭載されている又はケーブルを介して装着されている状態において、前記超音波プローブを制御して被検眼を測定する際の設定を、前記操作部から入力される操作信号に基づいて変更することを特徴とする眼軸長測定装置。
【請求項２】
駆動機構は、前記測定ユニットを上下方向に移動させるための第１駆動機構、を有し、
前記操作部は、前記第１駆動機構より前記測定ユニットを上下方向に移動させるために検者によって操作される回転ノブであることを特徴とする請求項１の眼軸長測定装置。
【請求項３】
前記超音波プローブは、Ａモード用の超音波プローブであり、
制御器は、
前記超音波プローブによって検出されたエコー信号の受信波形と、受信波形に対して所定部位に対応するゲート位置を示すゲート指標を前記モニタに表示し、
前記回転ノブから入力される操作信号に基づいて受信波形に対するゲート位置を調整することを特徴とする請求項２の眼軸長測定装置。
【請求項４】
制御器は、前記回転ノブから入力される操作信号に基づいてモニタ上のゲート位置を変更すると共に、変更されたゲート位置に基づいて所定部位に対応するエコー信号を特定することを特徴とする請求項２〜３のいずれかの眼軸長測定装置。
【請求項５】
前記超音波プローブは、パキモード用の超音波プローブであり、
制御器は、
角膜上における複数の測定点を示すマップと該マップ上において現在の測定位置を示す選択表示をモニタに表示し、
前記回転ノブから入力される操作信号に基づいてマップ上における選択表示の位置を変更することを特徴とする請求項２〜４のいずれかの眼軸長測定装置。
【請求項６】
駆動機構は、顎受を上下方向に移動させるための第２駆動機構、を有し、
前記操作部は、第２駆動機構より顎受を上下方向に移動させるために検者によって操作される顎受スイッチであることを特徴とする請求項１〜５のいずれかの眼軸長測定装置。
【請求項７】
前記超音波プローブは、Ａモード用の超音波プローブであり、
制御器は、
前記超音波プローブによって検出されたエコー信号の受信波形と、受信波形に対して所定部位に対応するゲート位置を示すゲート指標を前記モニタに表示し、
前記顎受スイッチから入力される操作信号に基づいて前記超音波プローブによって検出された信号のゲインを調整することを特徴とする請求項１〜６のいずれかの眼軸長測定装置。
【請求項８】
前記超音波プローブは、パキモード用の超音波プローブであり、
制御器は、
角膜上における複数の測定点を示すマップと該マップ上において現在の測定位置を示す選択表示をモニタに表示し、
前記顎受スイッチから入力される操作信号に基づいて前記超音波プローブによって検出された信号のゲインを調整することを特徴とする請求項１〜７のいずれかの眼軸長測定装置。
【請求項９】
前記測定ユニットにおける測定開始のトリガ信号を入力するために検者によって操作される測定開始スイッチを備え、
前記制御器は、前記測定開始スイッチから入力される前記トリガ信号に応じて超音波プローブでの超音波の送受信を開始することを特徴とする請求項１〜８のいずれかの眼軸長測定装置。
【請求項１０】
前記測定ユニットにおける測定開始のトリガ信号を入力するために検者によって操作される開始スイッチを備え、
前記制御器は、超音波の送受信の開始後において、前記開始スイッチから入力される前記トリガ信号に応じて，超音波プローブによって検出された信号に基づく長さ情報を取得し、
取得された長さ情報を前記モニタに表示することを特徴とする請求項１〜９のいずれかの眼軸長測定装置。
【請求項１１】
前記モニタは、タッチパネルを有し、
前記制御器は、タッチパネルから入力される操作信号に基づいて、受信波形に対するゲート位置を調整することを特徴とする請求項１〜１０のいずれかの眼軸長測定装置。
【請求項１２】
前記モニタは、タッチパネルを有し、
前記制御器は、タッチパネルから入力される操作信号に基づいて、前記超音波プローブによって検出された信号のゲインを調整することを特徴とする請求項１〜１１のいずれかの眼軸長測定装置。
【請求項１３】
前記モニタは、タッチパネルを有し、
前記制御器は、タッチパネルから入力される操作信号に基づいて、マップ上における選択表示の位置を変更し、前記超音波プローブによって検出された信号のゲインを調整する請求項１〜１２のいずれかの眼軸長測定装置。
【請求項１４】
制御器は、調整されたゲインの数値をモニタ上に表示することを特徴とする請求項７〜１３のいずれかの眼軸長測定装置。
【発明の詳細な説明】
【技術分野】
【０００１】
本装置は、被検眼の眼軸長を測定する装置に関する。
【背景技術】
【０００２】
眼軸長測定装置として、光干渉計を用いて眼軸長を測定する装置、超音波プローブを用いて眼軸長を測定する装置が知られている。【０００３】
光干渉計を用いて眼軸長を測定する装置に超音波プローブを設け、超音波を用いて眼軸長を測定するコンボ機が知られている（特許文献１参照）。
【先行技術文献】
【特許文献】
【０００４】
【特許文献１】特開２００８−１６１２１８号公報
【発明の概要】
【発明が解決しようとする課題】
【０００５】
ところで、超音波プローブを用いて眼軸長を測定する場合、受信された信号のゲイン調整、受信波形のゲート位置の調整が行われる。超音波プローブを用いて角膜厚を測定する場合、角膜上における複数の位置での測定結果が順次プロットされる。【０００６】
しかしながら、コンボ機の場合、超音波プローブを用いて眼軸長を測定する専用の装置と比較すると、操作性が損なわれたり、操作系が複雑になる可能性がありうる。【０００７】
本発明は、上記問題点を鑑み、光干渉と超音波のコンボ機であっても、検者が容易に超音波測定を行うことができることを技術課題の一つとする。
【課題を解決するための手段】
【０００８】
上記課題を解決するために、本発明は以下のような構成を備えることを特徴とする。【０００９】
（１）  
眼軸長測定装置は、
光干渉計を有し被検眼の眼軸長を非接触にて光学的に測定するための測定光学系と、前眼部観察像を撮像する撮像光学系とを内蔵する測定ユニットと、
前記測定ユニットと被検眼との相対位置を調整するための駆動機構と、
前記駆動機構又は測定ユニットを駆動させるために検者によって操作される操作部と、
前眼部観察像を表示可能なモニタと、
前記測定ユニットを制御すると共に、前記操作部から出力される操作信号に基づいて前記駆動機構の駆動を制御する制御器と、備え、
前記制御器は、被検眼の軸方向における長さ情報を得るための超音波プローブが予め搭載されている又はケーブルを介して装着されている状態において、前記超音波プローブを制御して被検眼を測定する際の設定を、前記操作部から入力される操作信号に基づいて変更することを特徴とする。
（２）  
駆動機構は、前記測定ユニットを上下方向に移動させるための第１駆動機構、を有し、
前記操作部は、前記第１駆動機構より前記測定ユニットを上下方向に移動させるために検者によって操作される回転ノブであることを特徴とする（１）の眼軸長測定装置。
（３）  
前記超音波プローブは、Ａモード用の超音波プローブであり、
制御器は、
前記超音波プローブによって検出されたエコー信号の受信波形と、受信波形に対して所定部位に対応するゲート位置を示すゲート指標を前記モニタに表示し、
前記回転ノブから入力される操作信号に基づいて受信波形に対するゲート位置を調整することを特徴とする（２）の眼軸長測定装置。
（４）  
制御器は、前記回転ノブから入力される操作信号に基づいてモニタ上のゲート位置を変更すると共に、変更されたゲート位置に基づいて所定部位に対応するエコー信号を特定することを特徴とする（２）〜（３）のいずれかの眼軸長測定装置。
（５）  
前記超音波プローブは、パキモード用の超音波プローブであり、
制御器は、
角膜上における複数の測定点を示すマップと該マップ上において現在の測定位置を示す選択表示をモニタに表示し、
前記回転ノブから入力される操作信号に基づいてマップ上における選択表示の位置を変更することを特徴とする（２）〜（４）のいずれかの眼軸長測定装置。
（６）  
駆動機構は、顎受を上下方向に移動させるための第２駆動機構、を有し、
前記操作部は、第２駆動機構より顎受を上下方向に移動させるために検者によって操作される顎受スイッチであることを特徴とする（１）〜（５）のいずれかの眼軸長測定装置。
（７）  
前記超音波プローブは、Ａモード用の超音波プローブであり、
制御器は、
前記超音波プローブによって検出されたエコー信号の受信波形と、受信波形に対して所定部位に対応するゲート位置を示すゲート指標を前記モニタに表示し、
前記顎受スイッチから入力される操作信号に基づいて前記超音波プローブによって検出された信号のゲインを調整することを特徴とする（１）〜（６）のいずれかの眼軸長測定装置。
（８）  
前記超音波プローブは、パキモード用の超音波プローブであり、
制御器は、
角膜上における複数の測定点を示すマップと該マップ上において現在の測定位置を示す選択表示をモニタに表示し、
前記顎受スイッチから入力される操作信号に基づいて前記超音波プローブによって検出された信号のゲインを調整することを特徴とする（１）〜（７）のいずれかの眼軸長測定装置。
（９）  
前記測定ユニットにおける測定開始のトリガ信号を入力するために検者によって操作される測定開始スイッチを備え、
前記制御器は、前記測定開始スイッチから入力される前記トリガ信号に応じて超音波プローブでの超音波の送受信を開始することを特徴とする（１）〜（８）のいずれかの眼軸長測定装置。
（１０）  
前記測定ユニットにおける測定開始のトリガ信号を入力するために検者によって操作される開始スイッチを備え、
前記制御器は、超音波の送受信の開始後において、前記開始スイッチから入力される前記トリガ信号に応じて，超音波プローブによって検出された信号に基づく長さ情報を取得し、
取得された長さ情報を前記モニタに表示することを特徴とする（１）〜（９）のいずれかの眼軸長測定装置。
（１１）  
前記モニタは、タッチパネルを有し、
前記制御器は、タッチパネルから入力される操作信号に基づいて、受信波形に対するゲート位置を調整することを特徴とする（１）〜（１０）のいずれかの眼軸長測定装置。
（１２）  
前記モニタは、タッチパネルを有し、
前記制御器は、タッチパネルから入力される操作信号に基づいて、前記超音波プローブによって検出された信号のゲインを調整することを特徴とする（１）〜（１１）のいずれかの眼軸長測定装置。
（１３）  
前記モニタは、タッチパネルを有し、
前記制御器は、タッチパネルから入力される操作信号に基づいて、マップ上における選択表示の位置を変更し、前記超音波プローブによって検出された信号のゲインを調整する（１）〜（１２）のいずれかの眼軸長測定装置。
（１４）  
制御器は、調整されたゲインの数値をモニタ上に表示することを特徴とする（７）〜（１３）のいずれかの眼軸長測定装置。
【発明の効果】
【００１０】
本発明は、上記問題点を鑑み、光干渉と超音波のコンボ機であっても、検者が容易に超音波測定を行うことができる。
【発明を実施するための形態】
【００１１】
本装置の実施態様の一つについて図面に基づいて説明する。図１は、本実施形態に係る眼軸長測定装置の外観構成図である。図２は、本実施形態に係る眼軸長測定装置の制御ブロック図である。
【００１２】
本実施形態の装置の本体部１０は、基台１と、顔支持ユニット２と、測定ユニット（測定部）４と、ジョイスティック５と、上下動スイッチ６と、第１駆動部７と、第２駆動部８と、モニタ９を含む。顔支持ユニット２は、基台１に取り付けられ、顎受２ａと、額当て２ｂとを有する。第１駆動部７は、被検眼に対して測定ユニット４をＸＹＺ方向に移動させるための機構を有する。第１駆動部７には、例えば、メカニカルに測定ユニット４を移動させる駆動機構、モータ駆動により測定ユニット４を移動させる駆動機構、又はこれらの組み合わせが用いられる。第２駆動部８は、モータを有し、モータの駆動によって顎受２ａを上下動させるための機構を有する。
【００１３】
第１駆動部７、第２駆動部８は、測定ユニット４と眼Ｅとの相対位置を調整するための駆動機構として用いられる。第１駆動部７、第２駆動部８の詳しい構成については、例えば、特開２００４−１７４１５５号公報を参考にされたい。
【００１４】
測定ユニット４は、測定光学系４ａを内蔵する。測定光学系４ａは、光源と、光干渉計と、受光素子とを有し、眼軸長を非接触にて光学的に測定する。光干渉計は、例えば、光源からの光を眼Ｅに導光した後、光路長を調整することにより眼底からの反射光と角膜からの反射光を干渉させる。光干渉計は、干渉された光（干渉光）を受光素子に受光させる。測定光学系４ａの各部材は、制御部８０に結合され、制御部８０は、受光素子から出力される干渉信号に基づいて眼軸長を測定する。測定光学系４ａの詳しい構成及び動作については、特開２０１０−１８４０４８号公報を参考文献とする。本装置は、被検者と検者とが本体部１０を挟んで対向する構成となっている。
【００１５】
ジョイスティック５は、検者によって操作される。上下動スイッチ６は、例えば、本体部１０における検者側に設けられる。ジョイスティック５は、例えば、メカニカルな機構、電動機構からなる。第１駆動部７は、ジョイスティック５へのチルト操作に従って測定ユニット４を前後左右に移動させる。
【００１６】
ジョイスティック５は、回転ノブ５ａと、測定開始スイッチ５ｂとを有する。回転ノブ５ａは、回転検知器（例えば、ロータリーエンコーダ）を有し、回転ノブの回転信号（例えば、回転速度、回転量等）を検出する。第１駆動部７は、回転ノブ５ａへの回転操作に従って測定ユニット４を上下に移動させる。
【００１７】
回転ノブ５ａは、手動操作にて第１駆動部７を駆動させるために検者によって操作される操作部として用いられる。測定開始スイッチ５ｂは、測定ユニット４における測定開始のトリガ信号を入力するために検者によって操作される操作部として用いられる。
【００１８】
上下動スイッチ６は、検者によって操作される。上下動スイッチ６は、例えば、本体部１０における検者側に設けられる。上下動スイッチ６は、顎受２ａを上方向に移動させるためのＵＰスイッチ６ａと、顎受２ｂを下方向に移動させるためのＤＯＷＮスイッチ６ｂと、を有する。第２駆動部８は、上下動スイッチ６への操作に従って顎受２ａを上下させる。
【００１９】
上下動スイッチ６は、手動操作にて第２駆動部８を駆動させるために検者によって操作される操作部として用いられる。
【００２０】
モニタ９は、タッチパネル付モニタであって、前眼部観察像、測定結果、測定パラメータ等を表示する。モニタ９は、例えば、本体部１０における検者側に設けられる。
【００２１】
制御部８０は、測定ユニット４を制御して眼軸長を測定すると共に、操作部（例えば、回転ノブ５ａ、測定開始スイッチ５ｂ、上下動スイッチ６等）から出力される操作信号に基づいて駆動機構（例えば、第１駆動部７、第２駆動部８）の駆動を制御する
本装置は、超音波プローブ３０２が予め搭載されている又は装着可能である。超音波プローブ３０２は、眼Ｅの軸方向における長さ情報を得るためのデバイスとして用いられる。超音波プローブ３０２（図２参照）は、トランスジューサ３１２を有するＡモード用又はパキモード用の超音波プローブであり、超音波によって眼軸長を測定するために用いられる。超音波プローブ３０２は、例えば、検者に把持可能な構成を有し、ケーブルを介して本体部１０に接続されている。
【００２２】
超音波プローブ３０２によって取得されたエコー信号の強度データは、超音波信号として検出される。制御部８０は、クロック発生回路３１１を駆動制御する。制御部８０は、送信器３１７を介してトランスデューサ３１２から超音波を発信（送波）させる。眼の各組織からの反射エコーは、トランスデューサ３１２で受信（受波）され、増幅器３１８を介してＡ／Ｄ変換器３１３でデジタル信号に変換される。デジタル信号化された反射エコー情報は、サンプリングメモリ３１６に一旦記憶される。制御部８０は、サンプリングメモリ３１６に記憶されたエコー情報に基づいて測定データを作成してモニタ９に表示する。
【００２３】
制御系の構成について説明する。制御部８０は、装置全体の制御、測定値の算出等を行う。制御部８０は、測定ユニット４の各部材、超音波プローブ３０２、モニタ９、第１駆動部７と、第２駆動部８、メモリ８５、回転ノブ５ａ、測定開始スイッチ５ｂ、上下動スイッチ６、フットスイッチ４００が接続されている。
【００２４】
本装置は、測定ユニット４ａを用いて眼の軸方向長さを測定する光干渉測定モード（第１測定モード）と、超音波プローブ３０２を用いて眼の軸方向長さを測定する超音波測定モード（第２測定モード）と、に設定可能であり、自動もしくは手動によって測定モードが切換可能な構成となっている。モード切換器（例えば、モード切換スイッチ、制御部７０、等）は、モニタ９のタッチパネル、又は本体部２０に設けられる。
【００２５】
＜光干渉測定モード（第１測定モード）＞
以下、本装置の動作の一例について説明する。本装置は、初期設定として第１測定モードに設定される。被検者の顔は、顔支持ユニット２によって支持される。検者は、被検者に合うように顎受２ａの高さを調整するため、上下動スイッチ６を操作する。制御部８０は、上下動スイッチ６からの操作信号に基づいて第２駆動部８の駆動を制御することにより、顎受２ａを上方向又は下方向に移動させる。
【００２６】
モニタ９は、図示なき前眼部撮像光学系によって撮像された眼Ｅの前眼部像をモニタに表示する。検者は、モニタ９上の前眼部像を観察する。検者は、測定光学系４ａの光軸を眼Ｅに合わせるため、ジョイスティック５及び回転ノブ５ａを操作する。制御部８０は、回転ノブ５ａからの操作信号に基づいて第１駆動部８の駆動を制御することにより測定ユニット４を上方向又は下方向に移動させる。ジョイスティック５が電動ジョイスティックの場合、制御部８０は、第１駆動部８の駆動を制御することにより測定ユニット４を前後左右方向に移動させる。
【００２７】
アライメントの完了後、検者は、測定開始スイッチ５ｂを押す。制御部８０は、スイッチ５ｂからの操作信号をトリガとして、眼軸長の測定を開始する。制御部８０は、測定光学系４ａの光源を発光させた後、測定光学系４ａの干渉計の光路長を調整する。制御部８０は、光路長の調整の結果、受光素子によって検出された干渉信号に基づいて眼Ｅの眼軸長値を得る。制御部８０は、測定結果をモニタ９に表示する。
【００２８】
眼Ｅが強度の白内障眼のような場合、測定光が混濁部によって遮光（散乱）される。その結果、受光素子に散乱光が入射してしまうため、測定精度が低下する。この対策として、検者は、超音波プローブ３０２を用いる第２測定モードにて眼軸長を測定する。
【００２９】
＜超音波測定モード（第２測定モード）＞
本実施形態の装置は、第２測定モードとして、眼軸長測定モード（Ａモード）、角膜厚測定モード（パキモード）を有し、設定された各モードに応じて動作する。超音波プローブ３０２は、各測定モードに応じて用意され、適宜、本体部１０に接続される。
【００３０】
超音波測定は、本体部１の右側又は左側に設置される顔支持ユニット（顔支持ユニット２とは別構成）に被検者の顔が固定された状態で行われる。その顔支持ユニットは、電動光学台に取り付けられる。
【００３１】
制御部８０は、超音波プローブ３０２を用いて眼を測定する場合において、第１測定モードでの測定に用いられる操作部（例えば、回転ノブ５ａ、測定開始スイッチ５ｂ、上下動スイッチ６等）から出力される操作信号に基づいて，超音波プローブ３０２を用いて眼を測定する際の設定を変更する。
【００３２】
以下、眼軸長測定モードでの動作の一例を説明する。図３は眼軸長測定モードでの表示画面の一例を示す図である。概して、制御部８０は、上下動スイッチ６からの操作信号がエコー信号のゲインの調整に利用されるように装置全体を制御する。制御部８０は、回転ノブ５ａからの操作信号が網膜検出ゲートの移動に使用されるように装置全体を制御する。制御部８０は、測定開始スイッチ５ｂからの操作信号が超音波プローブ３０２における超音波の送受信の開始、及び測定値の取得に利用されるように装置全体を制御する。
【００３３】
例えば、制御部８０は、超音波プローブ３０２を用いて眼軸長を測定する場合において、超音波プローブ３０２によって検出された受信波形Ｗと、所定部位に対応するゲート位置を示すゲート指標Ｇをモニタ９に表示する。制御部８０は、回転ノブ５ａから入力される操作信号に基づいて受信波形に対するゲート位置を調整する。制御部８０は、上下動スイッチ６から入力される操作信号に基づいて超音波プローブ３０２によって検出された信号のゲインを調整する。
【００３４】
例えば、制御部８０は、測定開始スイッチ５ｂからの操作信号に応じて超音波プローブ３０２での超音波の送受信を開始する。制御部８０は、超音波の送受信の開始後における測定開始スイッチ５ｂからの操作信号に応じて，超音波プローブ３０２によって検出された信号に基づく長さ情報を取得し、取得された長さ情報をモニタに表示する。
【００３５】
まず、検者は、眼Ｅに対し点眼麻酔を行う。検者は、一方の手を使ってプローブ３０２を持った状態においてプローブ３０２の先端を角膜に当てると共に、他方の手を使って回転ノブ５ａ、測定開始スイッチ５ｂ、上下動スイッチ６を操作する。
【００３６】
検者は、プローブ３０２の先端を眼Ｅに接触させた後、眼Ｅからエコー信号を得るため、測定開始スイッチ５ｂを押す。測定開始スイッチ５ｂからの信号をトリガとして、制御部８０は、プローブ３０２の動作を制御する。制御部８０は、眼Ｅからの反射波をトランスデューサ３１２によって受信するため、トランスデューサ３１２から超音波を眼Ｅに照射する。
【００３７】
制御部８０は、プローブ３０２によって検出されたエコー信号の波形（Ａモード波形Ｗ）をモニタ９上に表示する（図３の参照）。Ａモード波形Ｗにおいて、左側が角膜側、右側が眼底側である。モニタ９上には、現在設定されているゲインが数値として表示され、ゲインの増減に応じて数値が増減される。Ａモード波形Ｗと共に表示された点線マークＧは、網膜エコーの検出ゲートを示す指標であり、制御部８０によって表示位置が調整される。
【００３８】
＜ゲインの調整＞
検者は、所望の波形を得るため、プローブ３０２の位置、角度を調整すると共に、上下動スイッチ６を操作する。Ａモード波形Ｗの振幅が許容レベルより小さい場合、検者は、ＵＰスイッチ６ａを操作する。制御部８０は、ＵＰスイッチ６ａからの操作信号に基づいて増幅器３１８におけるゲインを増加させる。この結果として、Ａ／Ｄ変換器３１８に入力されるエコー信号の増幅率が上がり、Ａモード波形Ｗの振幅が大きくなる。
【００３９】
一方、Ａモード波形Ｗの振幅が大きすぎる場合（例えば、飽和している場合）、検者は、ＤＯＷＮスイッチ６ｂを操作する。制御部８０は、ＤＯＷＮスイッチ６ｂからの操作信号に基づいて増幅器３１８におけるゲインを減少させる。この結果として、Ａ／Ｄ変換器３１８に入力されるエコー信号の増幅率が下がり、Ａモード波形Ｗの振幅が小さくなる。
【００４０】
＜ゲートの調整＞
混濁の影響によって網膜エコーの波形が不明瞭な場合、又は眼内レンズ等によってＡモード波形上に余分なエコーが観察された場合、検者は、網膜検出ゲートを変更するため、回転ノブ５ａを操作する。制御部８０は、回転ノブ５ａが時計回りに回転されるのに従って、眼の深い方向（右方向）に矢印Ｇを移動させる。制御部８０は、回転ノブ５ａが反時計回りに回転されるのに従って、眼の浅い方向（左方向）に矢印Ｇを移動させる。
【００４１】
検者は、実際の網膜エコーだと思われるエコー信号の直前に検出ゲートＧを合わせる。変更された検出ゲートＧの位置に基づき、制御部８０は、検出ゲートＧより奥側（眼の深い方向）における直近のエコー信号を網膜エコーとして設定すると共に、設定された網膜エコーを測定の終点として測定値を変更する。
【００４２】
所望の波形が得られた後、検者は、測定開始スイッチ５ｂ、モニタ９上のフリーズスイッチＦ、又はフットスイッチ４００を押す。その操作信号に応じて、制御部８０は、測定を開始する。制御部８０は、サンプリングメモリ３１６に記憶されるエコー情報に基づいて測定データを算出する。制御部８０は、算出された測定データ（例えば、測定値）をモニタ９上に表示する（図３中のＭ参照）。測定開始スイッチ５ｂ、モニタ９上のフリーズスイッチＦ、又はフットスイッチ４００が複数回押された場合、制御部８０は、各操作信号に応じて測定し、複数回（例えば、１０回）のＡモード計測における各測定結果（例えば、測定値）を示すリストＭを画面の右側に表示する。測定データを取得して表示する場合、制御部８０は、連続的に検出されるエコー情報に基づいて測定データを連続的に算出し、操作信号が出力されたときの測定データを取り込んで、モニタ９に表示してもよい。
【００４３】
以上のように超音波を用いて眼軸長を測定することにより、白内障眼であっても特別な影響を受けることなく、信頼性の高い測定結果を得ることができる。さらに、上記のように操作系を構成することによって、光干渉式眼軸長測定装置に超音波プローブ３０２を取り付けた装置構成であっても、簡単な構成でかつ、操作性を損なうことなしに、眼軸長を測定できる。
【００４４】
上記実施形態の一つとして、回転ノブ５ａを第２モード（眼軸長計測モード）でのゲート位置の変更、上下動スイッチ６をゲインの調整に用いる構成が説明された。これに加えて、制御部８０は、モニタ９に設けられたタッチパネルからの操作信号を、ゲート位置の変更、ゲインの調整において利用するようにしてもよい。
【００４５】
上記実施形態では、網膜ゲートの位置調整のために回転ノブ５ａを用いる構成としたが、眼のある部位に関するゲートの位置調整のために回転ノブ５ａを用いる構成であればよい。例えば、制御部８０は、角膜前面、水晶体前面／後面を検出するためのゲート位置の調整のために、回転ノブ５ａが用いられる。
【００４６】
次に、角膜厚測定モードでの動作の一例を説明する。図４、図５は角膜厚測定モードでの表示画面の一例を示す図である。概して、制御部８０は、上下動スイッチ６からの操作信号がエコー信号のゲインの調整に利用されるように装置全体を制御する。制御部８０は、回転ノブ５ａからの操作信号が測定点の選択に使用されるように装置全体を制御する。制御部８０は、測定開始スイッチ５ｂからの操作信号が超音波プローブ３０２における超音波の送受信の開始、及び測定値の取得に利用されるように装置全体を制御する。
【００４７】
制御部８０は、超音波プローブ３０２を用いて角膜厚を測定する場合において、角膜上における複数の測定点を示すマップＣとマップＣ上において現在の測定位置を示す選択表示（図４、図５のＢ参照）をモニタ９に表示する。制御部８０は、回転ノブ５ａから入力される操作信号に基づいて現在の測定位置として選択する測定点を変更する。制御部８０は、上下動スイッチ６から入力される操作信号に基づいて超音波プローブ３０２によって検出された信号のゲインを調整する。
【００４８】
制御部８０は、測定開始スイッチ５ｂからの操作信号に応じて超音波プローブ３０２での超音波の送受信を開始する。制御部８０は、超音波の送受信の開始後における測定開始スイッチ５ｂからの操作信号に応じて，超音波プローブ３０２によって検出された信号に基づく長さ情報を取得し、取得された長さ情報をモニタに表示する。
【００４９】
検者は、一方の手を使ってプローブ３０２を持った状態においてプローブ３０２の先端を角膜に当てると共に、他方の手を使って測定開始スイッチ５ｂ、上下動スイッチ６を操作する。測定点の選択位置を変更する場合、検者は、プローブ３０２の先端を角膜から離した後、回転ノブ５ａを操作する。その後、検者は、異なる測定点に関して、プローブ３０２の先端を角膜に当てる。
【００５０】
制御部８０は、複数の測定点を示す角膜厚マップＣをモニタ９の左側に表示する。角膜厚マップＣは、例えば、角膜中心を中心とする二次元マップである。マップＣの種類は適宜変更可能であり、角膜中心とするスクエアマップ、ラジアルマップ、などが考えられる。各マップにおける測定点の数についても、複数から選択可能である。
【００５１】
図４において、マップＣは角膜中心を中心に放射状に配置されている。各測定点に関して、角膜中心に対する方向と距離は、眼Ｅの角膜中心に対する方向と距離を表す。実線にて示された部分Ｃ１〜Ｃ９は、測定点として設定された部分である。点線で示された部分は、測定点として設定されていない部分である。
【００５２】
矩形Ｂで囲まれた測定点は、複数の測定点Ｃ１〜Ｃ９において現在の測定位置として選択された測定点（選択位置）を示す。初期段階においては、角膜中心に対応する測定点Ｃ１が予め選択されている。検者は、眼Ｅに対して点眼麻酔を行った後、プローブ３０２の先端を眼Ｅの角膜中心に接触させる。検者は、眼Ｅからエコー信号を得るため、測定開始スイッチ５ｂを押す。
【００５３】
測定開始スイッチ５ｂからの信号をトリガとして、制御部８０は、プローブ３０２の動作を制御する。制御部８０は、眼Ｅからの反射波をトランスデューサ３１２によって受信するため、トランスデューサ３１２から超音波を眼Ｅに照射する、
制御部８０は、プローブ３０２によって検出されたエコー信号の波形（Ａモード波形Ｗ）をモニタ９上に表示する（図４の参照）。モニタ９上には、現在設定されているゲインが数値として表示され、ゲインの増減に応じて数値が増減される。
【００５４】
＜ゲインの調整＞
検者は、所望の波形を得るため、プローブ２の位置、角度を調整すると共に、上下動スイッチ６を操作する。上下動スイッチ６からの操作信号に基づくゲインの増減については、眼軸長測定モード（Ａモード）と同様である。このため、詳しい説明を省略する。
【００５５】
所望の波形が得られた後、検者は、測定開始スイッチ５ｂ、モニタ９上のフリーズスイッチＦ、又はフットスイッチ４００を押す。その操作信号に応じて、制御部８０は、測定を開始する。制御部８０は、サンプリングメモリ３１６に記憶されるエコー情報に基づいて測定データを算出する。制御部８０は、算出された測定データをモニタ９上に表示する（図４中のＭ参照）。選択位置での測定結果が得られると、制御部８０は、選択された測定点（測定点Ｃ１）上に測定値を表示すると共に、選択位置（測定点Ｃ１）での角膜厚値としてメモリ８５に記憶する。測定開始スイッチ５ｂ、モニタ９上のフリーズスイッチＦ又はフットスイッチ４００が複数回押された場合、制御部８０は、各操作信号に応じて測定し、複数回（例えば、１０回）の角膜厚計測における各測定結果（例えば、測定値）を示すリストＭを画面の右側に表示する。角膜厚を取得して表示する場合、制御部８０は、連続的に検出されるエコー情報に基づいて角膜厚を連続的に算出し、操作信号が出力されたときの角膜厚を取り込んで、モニタ９に表示してもよい。
【００５６】
＜測定点の変更＞
図５は選択位置が変更された状態の画面表示の例を示す図である。角膜中心での測定が完了した後、検者は、選択位置を変更するため、回転ノブ５ａを操作する。制御部８０は、回転ノブ５ａが回転されるのに従って、複数の測定点Ｃ１〜Ｃ９の中で選択位置として設定する測定点を変更する。制御部８０は、変更された選択位置に対応する測定点を矩形Ｂにて囲む。
【００５７】
回転ノブ５ａが時計回りに回転された場合、複数の測定点Ｃ１〜Ｃ９の中での選択位置が時計回りに順次変更され、回転ノブ５ａが反時計回りに回転された場合、選択位置が反時計回りに順次変更される。現在の測定点の変更に応じて、測定点Ｃ１〜Ｃ９の中で矩形Ｂが移動される。
【００５８】
図５に示すように、測定点Ｃ２が選択された後、検者は、眼Ｅの角膜中心から左斜め上方の角膜部位に，プローブ３０２の先端を接触させる。所望の波形が得られた後、検者は、測定開始スイッチ５ｂ、モニタ９上のフリーズスイッチＦ、又はフットスイッチ４００を押す。その操作信号に応じて、制御部８０は、プローブ３０２から出力されるエコー情報に基づいて角膜厚を計測する。計測された角膜厚に基づき、制御部８０は、算出された測定データ（例えば、測定値）をモニタ９上に表示する。例えば、制御部８０は、マップ上の測定点Ｃ２上に測定値を表示すると共に、選択位置（測定点Ｃ２）での角膜厚値としてメモリ８５に記憶する。
【００５９】
検者による回転ノブ５ａの操作に応じて、制御部８０は、測定点Ｃ１〜Ｃ９の間で、選択位置として選択される測定点を順次変更する。制御部８０は、順次選択された各測定点での角膜厚をメモリ７５に記憶させることにより、角膜厚の分布情報を得ていく。制御部８０は、測定点Ｃ１〜Ｃ９での角膜厚の測定が完了したら、角膜厚分布の測定を終了する。制御部８０は、各測定点での測定結果を含むマップＭをモニタ９に表示する。
【００６０】
以上のように超音波を用いて角膜厚を測定することにより、白内障眼であっても特別な影響を受けることなく、信頼性の高い測定結果を得ることができる。さらに、上記のように操作系を構成することによって、光干渉式眼軸長測定装置に超音波プローブ３０２を取り付けた装置構成であっても、簡単な構成でかつ、操作性を損なうことなしに、角膜厚を測定できる。
【００６１】
上記実施形態の一つとして、回転ノブ５ａを第２モード（角膜厚計測モード）での測定点の変更、上下動スイッチ６をゲインの調整に用いる構成が説明された。これに加えて、制御部８０は、モニタ９に設けられたタッチパネルからの操作信号を、測定点の変更、ゲインの調整において利用するようにしてもよい。
【００６２】
上記実施系形態の一つとして、制御部８０は、測定開始スイッチ５ｂ、モニタ９上のフリーズスイッチＦ、又はフットスイッチ４００からの操作信号をトリガとして、測定を開始したが、これに限定されない。本実施形態では、制御部８０は、予め設定された許容レベルをエコー信号の振幅が超えた時点で、自動的に測定を開始してもよい。制御部８０は、複数回における測定値が安定し、かつ、規定回数分の測定値が得られるまで、連続的に測定データを取り込むようにしてもよい。
【図面の簡単な説明】
【００６３】
【図１】本実施形態に係る眼軸長測定装置の外観構成図である。
【図２】本実施形態に係る眼軸長測定装置の制御ブロック図である。
【図３】眼軸長測定モードでの表示画面の一例を示す図である。
【図４】角膜厚測定モードでの表示画面の一例を示す図である。
【図５】角膜厚測定モードでの表示画面の一例を示す図である。
【符号の説明】
【００６４】
４  測定ユニット
４ａ  測定光学系
５  ジョイスティック
５ａ  回転ノブ
５ｂ  測定開始スイッチ
６  上下動スイッチ
７  第１駆動部
８  第２駆動部
８０  制御部
３０２  超音波プローブ
【図１】
2013002332.tif 000003
【図２】
2013002332.tif 000004
【図３】
2013002332.tif 000005
【図４】
2013002332.tif 000006
【図５】
2013002332.tif 000007
【国際調査報告】
2013002332.tif 000008
2013002332.tif 000009